(57)【特許請求の範囲】
【請求項１】
育苗箱（２）を載置して前後方向に搬送する搬送コンベヤ（３）の左右両側に立設された左右一対の側板（１１１）を備え、この左右側板（１１１）間に前後一対のロール（１１６，１１７）と該前後ロール（１１６，１１７）に巻掛けられたエンドレスの土送りベルト（１１８）とを有する土搬送コンベヤ（１１４）を備え、この土搬送コンベヤ（１１４）の上方に設けたホッパ（１１３）内の土を土搬送コンベヤ（１１４）の端部から落下させて該土搬送コンベヤ（１１４）の下方を通過する育苗箱（２）に土を供給する土供給装置において、
前記左右一方の側板（１１１）に、土送りベルト（１１８）を側方から取出し・取付けするためのベルト脱着口（１３６）を開口形成したことを特徴とする土供給装置。
【請求項２】
前記ベルト脱着口（１３６）が形成された側板（１１１）には、該ベルト脱着口（１３６）を塞ぐ蓋板（１４０）が着脱自在に取付固定され、この蓋板（１４０）に前後のロール（１１６，１１７）を回転自在に支持する軸受け（１４４，１４５）と、土送りベルト（１１８）にテンションを付与するテンション付与手段（１１９）が設けられていることを特徴とする請求項１に記載の土供給装置。
【請求項３】
前後一方のロール（１１７）を前後移動可能に支持し、土送りベルト（１１８）にテンションを付与するテンション付与手段（１１９）を備え、
このテンション付与手段（１１９）は、前記一方のロール（１１７）と一体移動すると共に前後方向の軸心を有する調整ボルト（１５３）と、この調整ボルト（１５３）に螺合されていて螺進させることにより土送りベルト（１１８）を張る方向に調整ボルト（１５３）を移動させるための調整ナット（１５６）と、側板（１１１）側に固定されていて前記土送りベルト（１１８）張り方向とは逆方向に調整ナット（１５６）が移動するのを規制する支持部材（１５５）と、調整ナット（１５６）と支持部材（１５５）との間に介在されたテンション切換部材（１５８）とを有し、
テンション切換部材（１５８）は、前後幅が広い幅広部（１６９）とこの幅広部（１６９）より前後幅が狭い幅狭部（１７０）とを有していて、調整ボルト（１５３）の軸心に直交する方向に移動させて幅広部（１６９）又は幅狭部（１７０）を選択的に調整ナット（１５６）と支持部材（１５５）との間に介在することにより、土送りベルト（１１８）を張り状態と弛緩状態とに切り換えることを特徴とする請求項１又は２に記載の土供給装置。
【発明の詳細な説明】
【技術分野】
【０００１】
本発明は、育苗箱を搬送しながら該育苗箱に床土供給、灌水、播種、覆土供給を行う播種機に採用される土供給装置に関するものである。
【背景技術】
【０００２】
育苗箱を搬送しながら該育苗箱に床土供給、灌水、播種、覆土供給を行う播種機に採用される土供給装置として特許文献１に記載のものがある。
この特許文献１の播種機は、育苗箱を載置して前後方向に搬送する搬送コンベヤを有する。
土供給装置は、搬送コンベヤの左右両側に立設された左右一対の側板を備え、この左右側板間に前後一対のロールと該前後ロールに巻掛けられたエンドレスの土送りベルトとを有する土搬送コンベヤを備え、この土搬送コンベヤの上方に土を貯留したホッパを配置してなる。
【０００３】
ホッパ内の土は土搬送コンベヤ上に落下供給され、この土搬送コンベヤ上の土を土搬送コンベヤの端部から落下させて該土搬送コンベヤの下方を通過する育苗箱に土を供給する。
この引用文献１の土供給装置にあっては、育苗箱の前後一方への搬送中に床土を供給し、育苗箱の前後他方への搬送中に覆土を供給する。
【先行技術文献】
【特許文献】
【０００４】
【特許文献１】特許第３９６３８８２号公報
【発明の概要】
【発明が解決しようとする課題】
【０００５】
前記従来の土供給装置にあっては、土搬送コンベヤの土送りベルトを交換する際には、装置を分解して土送りベルトを交換している。
そのため、土送りベルトの交換に手間がかかるという問題がある。
そこで、本発明は、前記問題点に鑑み、土送りベルトの交換を容易に行うことができる土供給装置を提供することを課題とする。
【課題を解決するための手段】
【０００６】
前記技術的課題を解決するために本発明が講じた技術的手段は、以下に示す点を特徴とする。
請求項１に係る発明では、育苗箱を載置して前後方向に搬送する搬送コンベヤの左右両側に立設された左右一対の側板を備え、この左右側板間に前後一対のロールと該前後ロールに巻掛けられたエンドレスの土送りベルトとを有する土搬送コンベヤを備え、この土搬送コンベヤの上方に設けたホッパ内の土を土搬送コンベヤの端部から落下させて該土搬送コンベヤの下方を通過する育苗箱に土を供給する土供給装置において、
前記左右一方の側板に、土送りベルトを側方から取出し・取付けするためのベルト脱着口を開口形成したことを特徴とする。
【０００７】
請求項２に係る発明では、前記ベルト脱着口が形成された側板には、該ベルト脱着口を塞ぐ蓋板が着脱自在に取付固定され、この蓋板に前後のロールを回転自在に支持する軸受けと、土送りベルトにテンションを付与するテンション付与手段が設けられていることを特徴とする。
請求項３に係る発明では、前後一方のロールを前後移動可能に支持し、土送りベルトにテンションを付与するテンション付与手段を備え、
このテンション付与手段は、前記一方のロールと一体移動すると共に前後方向の軸心を有する調整ボルトと、この調整ボルトに螺合されていて螺進させることにより土送りベルトを張る方向に調整ボルトを移動させるための調整ナットと、側板側に固定されていて前記土送りベルト張り方向とは逆方向に調整ナットが移動するのを規制する支持部材と、調整ナットと支持部材との間に介在されたテンション切換部材とを有し、
テンション切換部材は、前後幅が広い幅広部とこの幅広部より前後幅が狭い幅狭部とを有していて、調整ボルトの軸心に直交する方向に移動させて広幅部又は狭幅部を選択的に調整ナットと支持部材との間に介在することにより、土送りベルトを張り状態と弛緩状態とに切り換えることを特徴とする。
【発明の効果】
【０００８】
本発明によれば、側板に開口形成したベルト脱着口を介して土送りベルトを取出し・取付けすることができ、装置を分解しなくても土送りベルトの交換が行える。
【図面の簡単な説明】
【０００９】
【図１】播種機の全体側面図である。
【図２】播種機の主要部の側面図である。
【図３】搬送コンベヤの平面図である。
【図４】コロ搬送機構の平面図である。
【図５】ベルト搬送機構の平面図である。
【図６】床土供給装置、土均し装置及びコーナープレスの配置部の側面図である。
【図７】薬剤ポンプ配置部の側面概略図である。
【図８】薬剤ポンプ配置部の平面一部断面図である。
【図９】播種装置の概略側面図である。
【図１０】播種装置の背面展開断面図である。
【図１１】覆土供給装置の側面図である。
【図１２】覆土供給装置の背面断面図である。
【図１３】土搬送コンベヤの平面断面図である。
【図１４】土搬送コンベヤのベルト脱着口側の平面拡大断面図である。
【図１５】ベルト脱着口側のテンション付与手段の平面断面図である。
【図１６】ベルト脱着口形成部分の側面図である。
【図１７】蓋体の側面図及び平面断面図である。
【図１８】蓋板を取り外した状態のベルト脱着口形成部分の側面図である。
【図１９】始端側ロールの右側部分の背面断面図である。
【図２０】ベルト脱着口側のテンション付与手段の側面一部断面図である。
【図２１】テンション切換部材の背面図である。
【発明を実施するための形態】
【００１０】
以下、本発明の実施の形態を図面を参照して説明する。
図１は育苗箱２を矢視Ａで示す前方（育苗箱搬送方向）に搬送しながら該育苗箱２に対して床土供給、灌水及び施薬、施肥、播種、覆土供給を自動的に行う育苗用播種機１を示している。
この播種機１は、前後方向に長い搬送コンベヤ３と、この搬送コンベヤ３の前後に配置された補助フレーム４，５と、育苗箱２を数十枚上下方向にストックできると共に下端側から育苗箱２を一枚づつ前方に繰り出し可能とされた育苗箱供給装置６と、育苗箱２に床土を供給する土供給装置７（床土供給装置という）と、育苗箱２に供給された床土の上面をならす土均し装置８と、床土上面の育苗箱２前端側の盛上がり部分を均平にするコーナープレス９と、薬液を灌水装置１１へと送る薬剤ポンプ１０と、床土が供給された育苗箱２に薬液と共に灌水する灌水装置１１と、灌水された育苗箱２に施肥する施肥装置１２と、施肥された育苗箱２に対して播種する播種装置１３と、播種された育苗箱２に対して覆土を供給する土供給装置１４（覆土供給装置という）とを有する。
【００１１】
前記育苗箱供給装置６は後部側の補助フレーム５上に設けられており、この育苗箱供給装置６から繰り出された育苗箱２はベルトコンベヤからなる繰出しコンベヤによって搬送コンベヤ３に送られる。
前記搬送コンベヤ３は育苗箱供給装置６から繰り出された育苗箱２を載置して前方に向けて前部の補助フレーム４へと搬送する。図２にも示すように、この搬送コンベヤ３に、床土供給装置７、土均し装置８、コーナープレス９、灌水装置１１、施肥装置１２、播種装置１３、覆土供給装置１４が搬送コンベヤ３の後部から前方Ａに向けて順に配置されて
設けられている。
【００１２】
薬剤ポンプ１０はコーナープレス９と灌水装置１１との間に配置され、搬送コンベヤ３の側面（左側面）に取り付けられている。
搬送コンベヤ３は、図２〜図５に示すように、前後方向に長いコンベヤフレーム１６と、このコンベヤフレーム１６を支持する前後の支持脚１７と、コンベヤフレーム１６の後部側に設けられていて育苗箱２をコロ搬送するコロ搬送機構１８と、コンベヤフレーム１６の前部側に設けられていて育苗箱２をベルト搬送するベルト搬送機構１９とを有する。
【００１３】
コンベヤフレーム１６は左右方向に間隔をおいて配置された左右の枠材２１を相互に連結してなる。本実施形態では、左右の枠材２１は溝開口が左右方向外方（左右方向中央から左右方向端部に向かう方向）を向くように配置されたチャンネル材によって構成され、左右枠材２１間に配置されたロッドからなる連結部材２２等によって左右の枠材２１が相互に連結されている。
【００１４】
前記コロ搬送機構１８は、左右の枠材２１間に前後方向に間隔をおいて多数（本実施形態では８本）配置された回転軸２３ａ〜ｈと、各回転軸２３ａ〜ｈに一体回転自在に固定された搬送コロ２４（ゴムで形成されたローラ）と、各回転軸２３に動力を伝達する伝動機構２５とを有する。
搬送コロ２４は、各回転軸２３ａ〜ｈに左右の枠材２１間において左右一対設けられていると共に、始端の回転軸２３ｈから１つ目と３つ目の回転軸２３ｇ，２３ｅには左右方向中央にも設けられている。
【００１５】
各回転軸２３ａ〜ｈは左右方向の軸心を有し、左右の枠材２１に軸心回りに回転自在に支持されている。また、各回転軸２３ａ〜ｈの左右方向一側（右側）は枠材２１の縦壁２１ａから左右方向外方に突出している。
前記伝動機構２５はチェーン伝動手段によって構成され、前後方向で隣り合う回転軸２３ａ〜ｈにわたって設けられている。各伝動機構２５は回転軸２３ａ〜ｈに一体回転自在に固定された伝動側スプロケット２５Ａ及び被伝動側スプロケット２５Ｂとこれらスプロケット２５Ａ，２５Ｂにわたって巻き掛けられたチェーン２５Ｃとからなる。伝動側スプロケット２５Ａ及び被伝動側スプロケット２５Ｂは、回転軸２３の枠材２１の縦壁２１ａから右側に突出した部分に設けられている。
【００１６】
ベルト搬送機構１９は、コロ搬送機構１８の最前端（終端）の回転軸２３ａの前方Ａ近傍に配置された始端側のベルト駆動軸２６と、このベルト駆動軸２６の左右両側に一体回転自在に設けられた左右一対の駆動プーリ２７と、搬送コンベヤ３の終端側に配置された終端側のベルト従動軸２８と、このベルト従動軸２８の左右両側に一体回転自在に設けられた左右一対の従動プーリ２９と、左右方向で同じ側に配置された駆動プーリ２７と従動プーリ２９とにわたって巻き掛けられた左右一対のエンドレスベルトからなる搬送ベルト３０と、ベルト駆動軸２６とベルト従動軸２８との間に配置された複数の下支え部材３１と、左右各搬送ベルト３０にテンションを付与する左右一対のテンション付与手段３２とを有する。
【００１７】
ベルト駆動軸２６及びベルト従動軸２８は、左右方向の軸心を有し、コンベヤフレーム１６の左右枠材２１間に軸心回りに回転自在に支架されている。ベルト駆動軸２６は前後方向移動不能に支持され、ベルト従動軸２８は前後方向所定範囲移動自在に支持されている。
駆動プーリ２７及び従動プーリ２９はＶプーリから構成され、コンベヤフレーム１６の左右枠材２１間に配置されている。搬送ベルト３０はＶベルトから構成されている。
【００１８】
下支え部材３１は、コンベヤフレーム１６の左右枠材２１間に架設されて該枠材２１に固定された左右方向の軸心を有するロッド３１Ａと、このロッド３１Ａに回転自在に套嵌された左右方向の軸心を有する円筒形の筒部材３１Ｂとから構成されている。この下支え部材３１はベルト駆動軸２６とベルト従動軸２８との間に前後方向に間隔をおいて配置されていて、搬送ベルト３０の上部の下面に接当している。本実施形態では、下支え部材３１は４本設けられている。
【００１９】
テンション付与手段３２は、枠材２１側に固定されたナットに対して前後方向螺進・螺
退自在に支持されたネジ軸を有し、このネジ軸を螺進させることによりベルト従動軸２８を支持する軸受け３３が前方移動され、これによって、搬送ベルト３０にテンションを付与する。
コロ搬送機構１８及びベルト搬送機構１９を駆動する駆動源は電動モータ３４によって構成され、該電動モータ３４は播種装置１３の後部に設けられている（図２及び図９参照）。
【００２０】
図９及び図１０に示すように電動モータ３４の出力軸３４ａは播種装置１３から右側に突出しており、該出力軸３４ａの下方にコロ搬送機構１８の最前端の回転軸２３ａが配置されている。
電動モータ３４の出力軸３４ａからコロ搬送機構１８の最前端の回転軸２３ａへとチェーン伝動機構からなる伝動手段３６によって動力が伝達されると共に、搬送コロ２４上の育苗箱２を前方Ａに搬送するように、コロ搬送機構１８の最前端の回転軸２３ａから後方の回転軸２３ｂ〜ｈに順次回転動力が伝達される。
【００２１】
また、ベルト駆動軸２６の右側は枠材２１の縦壁２１ａから右側に突出しており、このベルト駆動軸２６の右側の枠材２１の縦壁２１ａから突出した部分に、チェーン伝動機構からなる伝動手段３７を介してコロ搬送機構１８の最前端の回転軸２３ａから回転動力が伝達され、これによってベルト駆動軸２６が軸心回りに回転駆動される。
このベルト駆動軸２６に動力を伝達する伝動手段３７は、ベルト搬送機構１９の搬送速度をコロ搬送機構１８の搬送速度に合わせるために、コロ搬送機構１８の最前端の回転軸２３から若干減速してベルト駆動軸２６に動力伝達している。
【００２２】
また、本実施形態の播種機１にあっては、前記電動モータ３４（駆動源）によって、床土供給装置７、土均し装置８、薬剤ポンプ１０、播種装置１３及び覆土供給装置１４が駆動される。コロ搬送機構１８の最後端（始端）の回転軸２３ｈが床土供給装置７を駆動する床土駆動軸とされ、コロ搬送機構１８の最後端から２つ目の回転軸２３ｆが土均し装置８を駆動する土均し駆動軸とされ、コロ搬送機構１８の最前端の回転軸２３ａから２つ目の回転軸２３ｃが薬剤ポンプ１０を駆動するポンプ駆動軸とされ、コロ搬送機構１８の最前端の回転軸２３ａが播種装置１３を駆動する播種駆動軸とされ、ベルト搬送機構１９のベルト駆動軸２６からチェーン伝動機構からなる伝動手段３８を介して覆土供給装置１４を駆動する覆土駆動軸３９に動力が伝達される。
【００２３】
また、育苗箱供給装置６から繰り出された育苗箱２を搬送コンベヤ３に送る繰出しコンベヤに、コロ搬送機構１８の最後端の回転軸２３ｈから動力が伝達される。
前記床土供給装置７、土均し装置８、コーナープレス９、灌水装置１１及び施肥装置１２の配置部分にコロ搬送機構１８が設けられている。（換言すると、床土供給装置７、土均し装置８、コーナープレス９、灌水装置１１及び施肥装置１２がコロ搬送機構１８で育苗箱２を搬送するコロ搬送ゾーンに配置されている）。
【００２４】
また、播種装置１３と覆土供給装置１４との配置部分にベルト搬送機構１９が設けられている。本実施形態では、播種装置１３はコロ搬送機構１８とベルト搬送機構１９とに跨って配置され、覆土供給装置１４はベルト搬送機構１９で育苗箱２を搬送するベルト搬送ゾーンに配置されている。
床土供給装置７は、図６に示すように、搬送コンベヤ３の左右各枠材２１にそれぞれ立設された左右一対の側板４０を有するフレーム４１（床土フレームという）と、この床土フレーム４１の上部に固定されていて土が貯留されたホッパと、床土フレーム４１の側板４０間で且つホッパ４２の下端開口の下方に位置する土搬送コンベヤ４３と、この土搬送コンベヤ４３に床土駆動軸２３ｈから動力を伝達する動力伝達機構４４とから主構成されている。
【００２５】
前記土搬送コンベヤ４３は、始端側ロール４５と、終端側ロール４６と、これらロール４５，４６に巻掛けられたエンドレスベルトからなる土送りベルト４７と、この土送りベルト４７にテンションを付与するテンション付与手段４８とを有する。
この土搬送コンベヤ４３の終端側ロール４６には、ベルト伝動機構からなる動力伝達機構４４を介して床土駆動軸２３ｈから動力が伝達され、土送りベルト４７で受けたホッパ
４２内の土を前方Ａに移送するように終端側ロール４６が回転駆動されて、土搬送コンベヤ４３の終端側から該土搬送コンベヤ４３の下方を移動する（通過する）育苗箱２に床土が落下供給される。
【００２６】
ホッパ４２の下端側前部には、土送りベルト４７上の（ホッパ４２内の）土の排出口４９が設けられていると共に、上下位置調整自在とされていて前記排出口４９の開度を変更して該排出口４９から排出される土の量を調整するゲート部材５０が設けられている。
土均し装置８は、図６に示すように、床土の上面を均す回転ブラシ５１と、この回転ブラシ５１に土均し駆動軸２３ｆから回転動力を伝達する伝動機構を収納した伝動ケース５２と、回転ブラシ５１の高さを調整する高さ調整手段５３とを有する。
【００２７】
回転ブラシ５１は伝動ケース５２に左右軸回りに回転自在に支持されている。
伝動ケース５２は前傾状とされ、下部が土均し駆動軸２３ｆの軸心回りに回転自在に枢支されて、上下揺動自在とされている。
高さ調整手段５３は、高さの異なる多数の凹部５５が形成された支持板５４と、この支持板５４の凹部５５に選択的に引っ掛けられる支持ロッド５６と、回転ブラシ５１を下方に付勢するバネ（図示省略）とを有する。
【００２８】
支持ロッド５６の下端側は回転ブラシ５１を回転自在に支持する軸受け５７に固定されていて、支持ロッド５６を他の凹部５５に掛け替えることにより、回転ブラシ５１の高さが段階的に調整可能とされている。
前記回転ブラシ５１で床土を均すと、育苗箱２の前後端部で床土が盛り上がり状となるが、この床土の前端側の盛り上がり部分が前記コーナープレス９によって均平にされる。
【００２９】
コーナープレス９は、図６に示すように、搬送コンベヤ３の左右の各枠材２１に枢支された左右の揺動アーム５８と、この揺動アーム５８に取付固定された均平部材５９と、この均平部材５９の高さを設定する高さ設定手段６０とを有する。
左右各揺動アーム５８は前傾状とされて、下端側が枠材２１に取付固定されたブラケット６１に左右軸回りに回転自在に枢支されていて、上下に揺動自在とされている。
【００３０】
均平部材５９は、プレートによって形成され、左右揺動アーム５８の上部間にわたって設けられている。
高さ設定手段６０は左右の揺動アーム５８に設けられている。この高さ設定手段６０は、揺動アーム５８に固定されたステー６２と、このステー６２に設けられたナット６３に螺合され且つ上下方向の軸心を有するボルト部材６４とを有する。
【００３１】
ボルト部材６４の上端には該ボルト部材６４を回転させるためのハンドル６５が設けられ、ボルト部材６４の下端にはゴム等で形成された接当部材６６が設けられ、該接当部材６６が搬送コンベヤ３の枠材２１上面に接当することにより、揺動アーム５８の下方揺動が規制される。したがって、ボルト部材６４をナットに対して螺進・螺退させることにより、均平部材５９の高さが設定される。
【００３２】
また、揺動アーム５８は上方に揺動可能であり、ハンドル６５とステー６２との間には、圧縮コイルバネ６７が介装されている。
このコーナープレス９にあっては、均平部材５９は下方に向かうに従って前方Ａに移行する傾斜状とされていて、この均平部材５９が前方移動する育苗箱２の前部上端側に押圧されることで揺動アーム５８が上方に揺動して逃げ、育苗箱２の前部上端側が通過すると揺動アーム５８が下方揺動して均平部材５９が下がり、該均平部材５９の下端側で床土の前端側が平らに均される。
【００３３】
灌水装置１１は、搬送コンベヤ３の左右枠材２１に跨って設けられ、水道にホース等を介して接続された散水管６８を有し、散水管６８の下方を移動する育苗箱２の床土上に散水する。
薬剤ポンプ１０は、図７及び図８に示すように、搬送コンベヤ３の左側の枠材２１の縦壁２１ａに着脱自在に取り付けられるポンプ取付台７１の左側面に固定されている。
【００３４】
枠材２１の縦壁２１ａの内面側には、ナット７２が溶接固定されていて左方から枠材２１及びポンプ取付台７１の取付部７１ａを貫通して前記ナット７２に螺合するボルト７３によってポンプ取付台７１は枠材２１に左右方向外側方から着脱自在に取り付けられてい
る。
この薬剤ポンプ１０は、左右方向の軸心を有していてポンプ取付台７１に軸心回りに回転自在に取り付けられたポンプ回転軸７４と、このポンプ回転軸７４に一体回転自在に固定されていて複数のコロ７５を枢支した回転体７６と、コロ７５の公転軌跡の外周側に配置された半円弧状のチューブ押え７７と、このチューブ押え７７の内周面側に配置された絞りチューブ７８と、この絞りチューブ７８の両側の各端部に接続された接続具７９Ａ，７９Ｂとを有する。
【００３５】
ポンプ取付台７１には、ポンプ駆動軸２３ｃに一体回転自在に嵌合する駆動側ギヤ８１と、前記ポンプ回転軸７４に一体回転自在に固定されていて前記駆動側ギヤ８１に歯合する被駆動側ギヤ８２とからなるギヤ伝動手段８３が設けられている。
上側の接続具７９Ａは薬液タンクにホース等を介して接続され、下側の接続具７９Ｂはホース等を介して灌水装置１１の散水管６８に接続されている。
【００３６】
チューブ押え７７の一端（下端）はポンプ取付台７１に枢支され、他端（上端）には引張りスプリング８４の一端が掛けられていてチューブ押え７７が絞りチューブ７８側に付勢されている。引張りスプリング８４の他端はレバー８５に枢支されている。
絞りチューブ７８はゴム又はプラスチック等の可撓性材料で形成されている。
回転体７６はポンプ駆動軸２３ｃによって矢示Ｗ方向に回転駆動され、回転体７６が回転するとコロ７５が絞りチューブ７８を押しつぶすように絞りながら公転すると共にチューブ押え７７の内周側を転動する。これによって、上側接続具７９Ａから薬液を吸い込んで下側接続具７９Ｂから薬液をはき出し、灌水装置１１へと薬液を送る。
【００３７】
薬剤ポンプ１０は、ポンプ取付台７１を枠材２１に左側からボルト固定することによって取り付けられ、装着性がよい。また、薬剤ポンプ１０を使用しないときには、前記レバー８５を回転させることにより、引張りスプリング８４の付勢力を解除できるが、薬剤ポンプ１０が外部に露出していることにより、このレバー８５の操作性もよい。
施肥装置１２は、搬送コンベヤ３の左右枠材２１に立設された施肥フレーム８６に、繰出しロール８７を設けると共に該繰出しロール８７の上方に肥料ホッパ８８を設けてなる。
【００３８】
繰出しロール８７は施肥フレーム８６に設けられた電動モータ（図示省略）によって回転駆動され、肥料ホッパ８８内の肥料を下方を通過する育苗箱２に対して落下供給する。
なお、この施肥装置１２は、オプションで取り付けられ、該施肥装置１２が取り付けられない場合は、灌水装置１１を播種装置１３に近接させることができるように、該灌水装置１１は前後位置調整自在とされている。
【００３９】
播種装置１３は、図９及び図１０に示すように、搬送コンベヤ３の各枠材２１上に立設された左右の側板８９を有するフレーム９０（播種フレームという）と、左右側板８９間の上部に固定された種子タンク９１と、この種子タンク９１の下方に位置する播種ロール９２と、この播種ロール９２の上方に位置する回転ブラシ９３と、播種ロール９２の背面側に位置する繰出し案内部材９４と、スクレーパ９５とを有する。
【００４０】
種子タンク９１の下端には、種子排出口９６が下方開口状に形成され、この種子排出口９６から排出された種子はガイド板９７によって播種ロール９２の前上部に案内されて該場所に溜まる。該場所が種子溜まり部９８とされている。
播種ロール９２は左右方向の軸心を有していて播種フレーム９０の左右側板８９間に配置され、該播種ロール９２の軸心にはロール軸９９が一体回転自在に設けられ、このロール軸９９は左右側板８９に左右軸回りに回転自在に支持されている。
【００４１】
前記播種駆動軸２３ａの左側端部側には駆動側スプロケット１０１が一体回転自在に設けられ、この駆動側スプロケット１０１から伝動チェーン１０２を介して被駆動側スプロケット１０３に動力伝達される。
この被駆動側スプロケット１０３は伝動軸１０４に一体回転自在に設けられた第１伝動ギヤ１０５に取付固定され、被駆動側スプロケット１０３から第１伝動ギヤ１０５を介して伝動軸１０４に動力伝達される。
【００４２】
前記伝動軸１０４は、播種ロール９２の後部上方に配置されていて側板８９間に回転自
在に支架されている。この伝動軸１０４の右側端部側に第２伝動ギヤ１０６が一体回転自在に設けられ、該第２伝動ギヤ１０６と噛み合い且つロール軸９９に一体回転に設けられた第３伝動ギヤ１０７に第２伝動ギヤ１０６から動力伝達されることにより、播種ロール９２が矢示Ｘ方向に回転駆動される。
【００４３】
この播種ロール９２の外周面には、ロール軸方向の播種溝１０８が周方向にわたって形成され、播種ロール９２が矢示Ｘ方向に回転することにより、種子溜まり部９８の種子を播種溝１０８で掬う。
回転ブラシ９３は左右方向の軸心を有し、外周側が播種ロール９２の外周に摺接する。また、この回転ブラシ９３には前記第１伝動ギヤ１０５から動力が伝達されて該回転ブラシ９３が矢示Ｙ方向に回転駆動され、播種ロール９２の外周側の余分な種子が払いのけられる。
【００４４】
播種溝１０８内に収容された種子は、繰出し案内部材９４によってガイドされて、播種ロール９２の下端まで播種溝１０８内に収容状とされ、播種ロール９２の下端部で繰出し案内部材９４から外れて下方に落下して育苗箱２の床土上に播種される。また、自然落下しない種子はスクレーパ９５によって押し出されて、育苗箱２の床土上に強制落下される。
【００４５】
覆土供給装置１４は、図１１〜図２０に示すように、搬送コンベヤ３の各枠材２１上に立設された左右の側板１１１を有するフレーム１１２（覆土フレームという）と、この覆土フレーム１１２の上部に固定されていて土が貯留されたホッパ１１３と、覆土フレーム１１２の側板１１１間で且つホッパ１１３の下端開口の下方に位置する土搬送コンベヤ１１４と、この土搬送コンベヤ１１４に覆土駆動軸３９から動力を伝達する動力伝達機構１１５とを備えてなる。
【００４６】
土搬送コンベヤ１１４は、前後一対のロール１１６，１１７と、これら前後のロール１１６，１１７に巻掛けられたエンドレスベルトからなる土送りベルト１１８と、この土送りベルト１１８にテンションを付与するテンション付与手段１１９とを有する。
本実施形態では、前側のロール１１６が終端側ロールとされ、後側のロール１１７が始端側ロールとされている。各ロール１１６，１１７はロール本体１１６Ａ，１１７Ａとこのロール本体１１６Ａ，１１７Ａの中心に軸方向貫通状に設けられたロール軸１１６Ｂ，１１７Ｂとからなる。
【００４７】
この土搬送コンベヤ１１４の終端側ロール１１６には、チェーン伝動機構からなる動力伝達機構１１５を介して覆土駆動軸３９から動力が伝達され、土送りベルト１１８で受けたホッパ１１３内の土を前方Ａに移送するように終端側ロール１１６が回転駆動されて、土搬送コンベヤ１１４の終端側から該土搬送コンベヤ１１４の下方を移動する（通過する）育苗箱２に覆土が落下供給される。
【００４８】
ホッパ１１３の下端側前部には、土送りベルト１１８上の（ホッパ１１３内の）土の排出口１２１が設けられていると共に、上下位置調整自在とされていて排出口１２１の開度を変更して該排出口１２１から排出される土の量を調整するゲート部材１２２が設けられている。
前記動力伝達機構１１５は、覆土駆動軸３９の左端部側に一体回転自在に取り付けられた駆動側スプロケット１２３と、終端側ロール１１６のロール軸１１６Ｂの左端側に一体回転自在に設けられた被駆動側スプロケット１２４と、これらスプロケット１２３，１２４に巻掛けられた伝動チェーン１２５と、この伝動チェーン１２５にテンションを付与する一対のドライブテンショナー１２６と、伝動チェーン１２５をガイドするガイドローラ１２７と、駆動側スプロケット１２３から被駆動側スプロケット１２４への動力伝達を断続するクラッチ１２８とを有してなる。
【００４９】
図１３及び図１８に示すように、前記前後のロール１１６，１１７間には、土送りベルト１１８の上部下面側に位置していて該土送りベルト１１８の上部を支持する下支え部材１２９が前後一対設けられている。この下支え部材１２９は、左右方向に配置された支持ロッド１３０と、該支持ロッド１３０に左右軸回りに回転自在に外嵌された回転ローラ１３１とから構成されている。
【００５０】
支持ロッド１３０の左端部側は左側の側板１１１にボルト固定され、支持ロッド１３０の右端部側は支持ステー１３２に固定されている。
支持ステー１３２は、板材によって形成され、板面が左右方向を向く縦壁１３３と、この縦壁１３３の上端から左右方向内方に向けて延出する上壁１３４と、縦壁１３３の下端から左右方向外方に向けて延出する下壁１３５とからなる。支持ロッド１３０の右端部側は支持ステー１３２の上壁１３４の上面に溶接固定されている。
【００５１】
図１６、図１８及び図１９に示すように、覆土フレーム１１２の左右一方の側板１１１（本実施形態では右側の側板１１１）には、土送りベルト１１８を側方（右側方）に取出し・取付けするためのベルト脱着口１３６が開口形成されている。
このベルト脱着口１３６は、土搬送コンベヤ１１４の右側方に位置し、土送りベルト１１８の側面形状より大きな前後方向に長い長円形状に形成されている。
【００５２】
土搬送コンベヤ１１４の前後のロール１１６，１１７の右側（ベルト脱着口１３６側）には、周方向にわたって形成された周方向溝１３７が設けられ、土送りベルト１１８の右側内周面には前後のロール１１６，１１７の周方向溝１３７に嵌合する突部１３８が周方向にわたって形成されている。
この突部１３８はベルト周方向に間隔をおいて設けられ（断続状に設けられ）ているが、連続状に設けられていてもよい。
【００５３】
前記周方向溝１３７に突部１３８が嵌ることによりロール１１６，１１７に対する土送りベルト１１８の左右方向の位置決めがされている。
各ロール１１６，１１７の周方向溝１３７から左方の周面は平滑状に形成されていて、周方向溝１３７から突部１３８を離脱させることにより、ベルト脱着口１３６を介して土送りベルト１１８が右方に引き出し可能とされている。また、右側からベルト脱着口１３６を介して土送りベルト１１８を挿入して突部１３８を周方向溝１３７に嵌合させることにより、該土送りベルト１１８がベルト脱着口１３６側から取付け可能である。
【００５４】
右側の側板１１１には、ベルト脱着口１３６を塞ぐように該右側の側板１１１の左右方向の外面に重ね合わされていて、前後が右側の側板１１１にボルト１３９によって着脱自在に取付固定される蓋板１４０が設けられている。
図１６及び図１７に示すように、蓋板１４０の前後方向中央側の下部には、下向きに開口する側面視コ字形の切欠部１４２が形成され、この切欠部１４２の形成部分で土送りベルト１１８が露出している。この切欠部１４２の上縁１４２ａは前記支持ステー１３２の下壁１３５上に接当しており、該支持ステー１３２の縦壁１３３が蓋板１４０にボルト１４３で固定されている。
【００５５】
前記蓋板１４０の前部には終端側ロール１１６のロール軸１１６Ｂの右側端部を回転自在に支持する前軸受け１４４が設けられ、蓋板１４０の後部には始端側ロール１１７のロール軸１１７Ｂの右側端部を回転自在に支持する後軸受け１４５が設けられている。
各軸受け１４４，１４５は、各ロール軸１１６Ｂ，１１７Ｂに右側から嵌脱自在に嵌合され、後軸受け１４５は始端側ロール１１７のロール軸１１７Ｂに着脱自在に嵌められたサークリップからなる抜止め部材１４６によって該ロール軸１１７Ｂから外れ止めされている。
【００５６】
終端側ロール１１６及び始端側ロール１１７のロール軸１１６Ｂ，１１７Ｂの左側端部は左側の側板１１１に設けられた前後の軸受け１４４，１４５に回転自在に支持されている。
前記始端側ロール１１７のロール軸１１７Ｂの右端部側は蓋板１４０に形成された軸挿通孔１４９を介して左右方向外方に突出され、始端側ロール１１７のロール軸１１７Ｂの左端部側は左側の側板１１１に形成された軸挿通孔１４９を介して左右方向外方に突出されており、各ロール軸１１６Ｂ，１１７Ｂの前記軸挿通孔１４９から突出した部分に後軸受け１４５が嵌合されている。
【００５７】
前記左右それぞれの軸挿通孔１４９は前後方向に長い長孔状に形成され、始端側ロール１１７が前後方向移動可能とされている。また、終端側ロール１１６は前後方向移動不能とされている。
また、図１９に示すように、左右の後軸受け１４５の上下には、該後軸受け１４５を前後方向移動自在にガイドするＬ字形のガイド部材１５１が設けられている。右側の後軸受け１４５をガイドするガイド部材１５１は蓋板１４０に固定され、左側の後軸受け１４５をガイドするガイド部材１５１は左側の側板１１１に固定されている。
【００５８】
そして、前記テンション付与手段１１９によって始端側ロール１１７を後方に移動させることにより、土送りベルト１１８にテンションが付与される。
テンション付与手段１１９は、図１３に示すように、始端側ロール１１７の左右両側に設けられている。
このテンション付与手段１１９は、図１５及び図２０に示すように、後軸受け１４５が収容されたホルダ１５２と、このホルダ１５２の後部に固定された調整ボルト１５３と、この調整ボルト１５３をホルダ１５２に対して固定する固定用ナット１５４と、側板１１１側に固定された支持部材１５５と、テンションを調整する調整ナット１５６と、この調整ナット１５６の移動を規制するロックナット１５７と、土送りベルト１１８を張り状態と弛緩状態とにワンタッチで切り換えるテンション切換部材１５８とを有する。
【００５９】
図１５及び図２０に示すように、ホルダ１５２の後部は後軸受け１４５から後方に突出されており、このホルダ１５２の後壁１５２ａと後軸受け１４５との間に調整ボルト１５３の頭部１５３ａが介装され、調整ボルト１５３のネジ軸部１５３ｂはホルダ１５２の後壁１５２ａを貫通して後方に向けて延出状とされている。
固定用ナット１５４はホルダ１５２の後壁１５２ａの後方に位置していて調整ボルト１５３に螺合されており、固定用ナット１５４を締め込むことにより固定用ナット１５４と調整ボルト１５３の頭部１５３ａとの間でホルダ１５２の後壁１５２ａが挟持されることで調整ボルト１５３がホルダ１５２に固定される。
【００６０】
また、左右のテンション付与手段１１９の調整ボルト１５３は連結部材１５９によって連結されている。この連結部材１５９は固定用ナット１５４とホルダ１５２の後壁１５２ａとの間に介装された取付部１６０と、左右の取付部１６０を連結する連結部１６１とから構成されている。
取付部１６０のネジ軸部１５３ｂが挿通される挿通部１６２は、図１９に示すように、左右方向外方に開放状の溝によって構成され、蓋板１４０を取り外すときにおいて、固定用ナット１５４を緩めることにより、調整ボルト１５３が挿通部１６２の溝開口部から右方に抜き出し可能とされている。
【００６１】
支持部材１５５は、右側のテンション付与手段１１９にあっては蓋板１４０（側板１１１側）に固定され、左側のテンション付与手段１１９にあっては左側の側板１１１に固定されている。
この支持部材１５５は、図１５及び図２０に示すように、蓋板１４０又は側板１１１の左右方向内方側の面に固定された固定壁部１６３と、この固定壁部１６３の後端から左右方向外方に延出された支持壁部１６４と、この支持壁部１６４の左右方向外端から後方に延出された規制壁部１６５とから構成されている。
【００６２】
支持壁部１６４にはネジ挿通孔１６６が形成され、調整ボルト１５３のネジ軸部１５３ｂがネジ挿通孔１６６を挿通して後方に延出されている。
調整ナット１５６は支持壁部１６４の後方でネジ軸部１５３ｂに螺合され、ロックナット１５７は調整ナット１５６の後方でネジ軸部１５３ｂに螺合されている。
テンション切換部材１５８は前記支持壁部１６４と調整ナット１５６との間に介在されている。
【００６３】
このテンション切換部材１５８は、図１５、図２０及び図２１に示すように、弾性を有する前後一対のプレート１６７，１６８によって構成されている。前後のプレート１６７，１６８は板面が前後を向く縦壁部１６７ａ，１６８ａと、この縦壁部１６７ａ，１６８ａの上端から後方に延びる上壁部１６７ｂ，１６８ｂとから構成されている。
前後のプレート１６７，１６８の縦壁部１６７ａ，１６８ａの上部間には前後方向の間隔が開けられ、前後のプレート１６７，１６８の縦壁部１６７ａ，１６８ａの下部は相互に密着されている。したがって、前後プレート１６７，１６８の縦壁部１６７ａ，１６８
ａの上部が前後幅が広い幅広部１６９とされ、前後プレート１６７，１６８の縦壁部１６７ａ，１６８ａの下部が幅広部１６９より前後幅が狭い幅狭部１７０とされている。
【００６４】
前後プレート１６７，１６８の上壁部１６７ｂ，１６８ｂ同士は上下方向で相互に密着されていて、該密着部分が指等を引っ掛ける又は指で把持する撮み部１７１とされている。
図２０及び図２１に示すように、前後のプレート１６７，１６８の縦壁部１６７ａ，１６８ａには、調整ボルト１５３のネジ軸部１５３ｂが貫通する挿通孔１７２が形成され、この挿通孔１７２は幅広部１６９と幅狭部１７０とにわたって形成された上下方向に長い長孔とされ、テンション切換部材１５８が上下に移動操作自在とされている。これによって、幅広部１６９と幅狭部１７０とを調整ナット１５６と支持部材１５５の支持壁部１６４との間に選択的に介在させることができる。
【００６５】
また、前後のプレート１６７，１６８は支持部材１５５の規制壁部１６５に接当しており、この規制壁部１６５によってテンション切換部材１５８が調整ボルト１５３のネジ軸部１５３ｂ回りに回るのが規制され且つ上下方向にガイドされる。
また、前側のプレート１６７の上下方向中途部で且つ幅広部１６９と幅狭部１７０との間には前方に向けて突出した係合部１７３が形成されている。この係合部１７３は、図２０（ａ）に示すように、幅広部１６９を調整ナット１５６と支持壁部１６４との間に介在したときには支持壁部１６４の下端側に係合することによりテンション切換部材１５８の上方移動を規制し、図２０（ｂ）に示すように、幅狭部１７０を調整ナット１５６と支持壁部１６４との間に介在したときには支持壁部１６４の上端側に係合することによりテンション切換部材１５８の下方移動を規制する。
【００６６】
また、テンション切換部材１５８を強制的に上下動操作した場合は、前側のプレート１６７が弾性変形することにより、支持壁部１６４の端部から外れる。
前記構成のテンション付与手段１１９にあっては、幅広部１６９を調整ナット１５６と支持壁部１６４との間に介在した状態で調整ナット１５６を螺進させると、調整ナット１５６は支持部材１５５によって前方（土送りベルト１１８に張りを与える方向とは逆の方向）への移動が規制されているので、調整ボルト１５３が後方（土送りベルト１１８に張りを与える方向）に移動して始端側のロール１１７が後方移動し、土送りベルト１１８に張りが与えられる。
【００６７】
この状態からテンション切換部材１５８を引き上げて幅狭部１７０を調整ナット１５６と支持壁部１６４との間に介在させると、テンション切換部材１５８と調整ナット１５６との間に隙間Ｓができる。これによって、始端側のロール１１７が前方（終端側ロール１１６側）に寄り、土送りベルト１１８の張りが緩む。
また、この状態からテンション切換部材１５８を押し下げて幅広部１６９を調整ナット１５６と支持壁部１６４との間に介在させると、また土送りベルト１１８に張りが与えられる。
【００６８】
このようにテンション切換部材１５８を上下動するだけで土送りベルト１１８を張り状態と弛緩状態とにワンタッチで切り換えることができる。
播種機１を使用しないとき等において、土送りベルト１１８の早期の劣化を防止するために、土送りベルト１１８の張りを緩めておくが、本実施形態では、土送りベルト１１８を張り状態から弛緩状態にワンタッチで切り換えることができるので、至便である。
【００６９】
前記構成の播種装置１３において、土送りベルト１１８を交換するには、後軸受け１４５をロール軸１１７Ｂから外れ止めする抜止め部材１４６を取り外すと共に側板１１１に蓋板１４０を固定している前後のボルト１３９及び支持ステー１３２の縦壁１３３を固定するボルト１４３を外し、且つ、固定用ナット１５４を緩める。これによって、蓋板１４０が取り外し可能となる。
【００７０】
そして、各ロールの周方向溝１３７から突部１３８を離脱させた後、ベルト脱着口１３６を介して土送りベルト１１８を右方に引き出す。
この土送りベルト１１８を交換するにも、土送りベルト１１８の取出しを容易に行うために、該土送りベルト１１８の張りを緩めるが、テンション切換部材１５８によって土送
りベルト１１８の張りをワンタッチで緩めることができるので、土送りベルト１１８を交換する作業がスムーズに行える。
【００７１】
また、土送りベルト１１８を取り外すべく、蓋板１４０を取り外すと、始端側ロール１１７の右側の支持がなくなると共に連結部材１５９の右側の支持がなくなり、これら始端側ロール１１７と連結部材１５９の右側が、ある程度動き得るので、連結部材１５９の取付壁部１６０が土送りベルト１１８の着脱の邪魔物とならない。
なお、前記テンション切換部材１５８は上下動に限ることはなく、上下以外の調整ボルト１５３の軸心に直交する方向に移動操作させるようにしてもよい。
【００７２】
また、後側のロール１１７（始端側ロール）が駆動されるときは、前側のロール１１６側にテンション付与手段１１９を設ける。
前記土送りベルト１１８の脱着構造は床土供給装置７に採用してもよい。また、床土供給装置７のテンション付与手段４８も、覆土供給装置１４に採用したテンション付与手段１１９と同様の構造が採用されている。
【００７３】
また、テンション付与手段１１９及び土送りベルト１１８の脱着構造は、床土供給と覆土供給とに兼用される土供給装置に採用してもよい。この場合、前記覆土供給装置１４の下端側後部にも前述の排出口１２１とゲート部材１２２とを設け、育苗箱２を前後一方へ搬送するときに一方の排出口１２１から土を排出して育苗箱２に床土を供給し、育苗箱２を前後他方へ搬送するときに他方の排出口１２１から土を排出して育苗箱２に床土を供給するようにしてもよい。
【符号の説明】
【００７４】
２    育苗箱
３    搬送コンベヤ
１１１    側板
１１３    ホッパ
１１４    土搬送コンベヤ
１１６    前側のロール
１１７    後側のロール
１１８    土送りベルト
１１９    テンション付与手段
１３６    ベルト脱着口
１４０    蓋板
１４４    軸受け
１４５    軸受け
１５３    調整ボルト
１５５    支持部材
１５６    調整ナット
１５８    テンション切換部材
１６９    幅広部
１７０    幅狭部
【図１】
0005416791.tif 000002
【図２】
0005416791.tif 000003
【図３】
0005416791.tif 000004
【図４】
0005416791.tif 000005
【図５】
0005416791.tif 000006
【図６】
0005416791.tif 000007
【図７】
0005416791.tif 000008
【図８】
0005416791.tif 000009
【図９】
0005416791.tif 000010
【図１０】
0005416791.tif 000011
【図１１】
0005416791.tif 000012
【図１２】
0005416791.tif 000013
【図１３】
0005416791.tif 000014
【図１４】
0005416791.tif 000015
【図１５】
0005416791.tif 000016
【図１６】
0005416791.tif 000017
【図１７】
0005416791.tif 000018
【図１８】
0005416791.tif 000019
【図１９】
0005416791.tif 000020
【図２０】
0005416791.tif 000021
【図２１】
0005416791.tif 000022